(57)【特許請求の範囲】
【請求項１】
エレベータのかごに人が閉じ込められたことを検出する閉じ込め検出手段と、
無線端末と無線通信を行うためのアクセスポイントと、
前記かごに人が閉じ込められたことが前記閉じ込め検出手段によって検出されなければ無線端末と前記アクセスポイントとの無線通信を不可とし、前記かごに人が閉じ込められたことが前記閉じ込め検出手段によって検出されると無線端末と前記アクセスポイントとの無線通信を可能にする通信制御手段と、
前記かごに設けられた表示装置と、
前記かごに人が閉じ込められたことが前記閉じ込め検出手段によって検出されると、無線端末を前記アクセスポイントに無線接続させるための案内を前記表示装置に表示させる表示制御手段と、
を備え、
通信方式が異なる複数の前記アクセスポイントを備え、
前記通信制御手段は、無線端末と前記アクセスポイントとの無線通信を可能にすると、選択基準に基づいて通信方式毎に無線通信回線を選択し、
前記表示制御手段は、前記通信制御手段によって選択された無線通信回線に接続するための案内を前記表示装置に表示させるエレベータ装置。
【請求項２】
エレベータのかごに人が閉じ込められたことを検出する閉じ込め検出手段と、
前記かごに設けられた表示装置と、
前記かごに設けられたインターホンと、
前記かごに設けられた入力装置と、
無線端末と無線通信を行うためのアクセスポイントと、
前記かごに人が閉じ込められたことが前記閉じ込め検出手段によって検出されると、前記インターホンを通じて外部との連絡を行うか無線端末を通じて外部との連絡を行うかを前記入力装置から入力させるための案内を前記表示装置に表示させる表示制御手段と、
無線端末を通じて外部との連絡を行う旨が前記入力装置から入力されると、無線端末と前記アクセスポイントとの無線通信を可能にする通信制御手段と、
を備えたエレベータ装置。
【請求項３】
前記表示制御手段は、無線端末を通じて外部との連絡を行う旨が前記入力装置から入力されると、無線端末を前記アクセスポイントに無線接続させるための案内を前記表示装置に表示させる請求項２に記載のエレベータ装置。
【請求項４】
通信方式が異なる複数の前記アクセスポイントを備え、
前記通信制御手段は、無線端末と前記アクセスポイントとの無線通信を可能にすると、選択基準に基づいて通信方式毎に無線通信回線を選択し、
前記表示制御手段は、前記通信制御手段によって選択された無線通信回線に接続するための案内を前記表示装置に表示させる請求項３に記載のエレベータ装置。
【請求項５】
前記通信制御手段は、無線端末と前記アクセスポイントとの無線通信を可能にすると、電波強度が最も高い無線通信回線を通信方式毎に選択する請求項１又は請求項４に記載のエレベータ装置。
【請求項６】
前記アクセスポイントには設置場所に基づいて予め優先順位が設定され、
前記通信制御手段は、無線端末と前記アクセスポイントとの無線通信を可能にすると、前記アクセスポイントの優先順位が最も高い無線通信回線を通信方式毎に選択する請求項１又は請求項４に記載のエレベータ装置。
【請求項７】
複数の前記アクセスポイントを備え、
前記かごは、制御ケーブルによって制御装置に接続され、
前記アクセスポイントの少なくとも一つは、前記かごに設けられ、前記制御ケーブルを介して前記制御装置に接続され、
前記アクセスポイントの少なくとも一つは、前記制御ケーブルを介さずに前記制御装置に接続された請求項２又は請求項３に記載のエレベータ装置。
【請求項８】
複数の前記アクセスポイントを備え、
前記アクセスポイントの少なくとも一つは、第１通信方式で無線端末に無線接続され、
前記アクセスポイントの少なくとも一つは、前記第１通信方式とは異なる第２通信方式で無線端末に無線接続される請求項２又は請求項３に記載のエレベータ装置。
【請求項９】
エレベータのかごに人が閉じ込められたことを検出する閉じ込め検出手段と、
無線端末と無線通信を行うためのアクセスポイントと、
前記かごに人が閉じ込められたことが前記閉じ込め検出手段によって検出されなければ無線端末と前記アクセスポイントとの無線通信を不可とし、前記かごに人が閉じ込められたことが前記閉じ込め検出手段によって検出されると無線端末と前記アクセスポイントとの無線通信を可能にする通信制御手段と、
前記かごに設けられた表示装置と、
前記かごに人が閉じ込められたことが前記閉じ込め検出手段によって検出されると、無線端末を前記アクセスポイントに無線接続させるための案内を前記表示装置に表示させる表示制御手段と、
を備え、
複数の前記アクセスポイントを備え、
前記かごは、制御ケーブルによって制御装置に接続され、
前記アクセスポイントの少なくとも一つは、前記かごに設けられ、前記制御ケーブルを介して前記制御装置に接続され、
前記アクセスポイントの少なくとも一つは、前記制御ケーブルを介さずに前記制御装置に接続されたエレベータ装置。
【請求項１０】
エレベータのかごに人が閉じ込められたことを検出する閉じ込め検出手段と、
無線端末と無線通信を行うためのアクセスポイントと、
前記かごに人が閉じ込められたことが前記閉じ込め検出手段によって検出されなければ無線端末と前記アクセスポイントとの無線通信を不可とし、前記かごに人が閉じ込められたことが前記閉じ込め検出手段によって検出されると無線端末と前記アクセスポイントとの無線通信を可能にする通信制御手段と、
前記かごに設けられた表示装置と、
前記かごに人が閉じ込められたことが前記閉じ込め検出手段によって検出されると、無線端末を前記アクセスポイントに無線接続させるための案内を前記表示装置に表示させる表示制御手段と、
を備え、
複数の前記アクセスポイントを備え、
前記アクセスポイントの少なくとも一つは、第１通信方式で無線端末に無線接続され、
前記アクセスポイントの少なくとも一つは、前記第１通信方式とは異なる第２通信方式で無線端末に無線接続されるエレベータ装置。
【発明の詳細な説明】
【技術分野】
【０００１】
この発明は、エレベータ装置に関する。
【背景技術】
【０００２】
特許文献１に、エレベータ装置が記載されている。特許文献１に記載されたエレベータ装置では、例えば聴覚障がい者がかごに閉じ込められると、その人は自分の携帯電話機から入力した文章を監視室に送信する。また、監視室からの情報は、かごに設けられた表示部に表示される。
【先行技術文献】
【特許文献】
【０００３】
【特許文献１】特開２０１２−６７５３号公報
【発明の概要】
【発明が解決しようとする課題】
【０００４】
特許文献１に記載されたエレベータ装置では、利用者は、エレベータ装置側で認証可能なＩＣチップを備えた携帯電話機を持っていなければならない。このため、特定の人しか閉じ込め時のサービスを利用することはできない。また、監視室からの情報はかごに設けられた表示部に表示されるため、利用者は、自分の携帯電話機で双方向通信を行うことができない。このため、利便性が悪いといった問題があった。
【０００５】
この発明は、上述のような課題を解決するためになされた。この発明の目的は、利用者、特に聴覚障がい者がかごに閉じ込められた場合に、自分の無線端末を利用して簡単に外部と双方向通信を行うことができるエレベータ装置を提供することである。
【課題を解決するための手段】
【０００６】
この発明に係るエレベータ装置は、エレベータのかごに人が閉じ込められたことを検出する閉じ込め検出手段と、無線端末と無線通信を行うためのアクセスポイントと、かごに人が閉じ込められたことが閉じ込め検出手段によって検出されなければ無線端末とアクセスポイントとの無線通信を不可とし、かごに人が閉じ込められたことが閉じ込め検出手段によって検出されると無線端末とアクセスポイントとの無線通信を可能にする通信制御手段と、かごに設けられた表示装置と、かごに人が閉じ込められたことが閉じ込め検出手段によって検出されると、無線端末をアクセスポイントに無線接続させるための案内を表示装置に表示させる表示制御手段と、を備える。また、通信方式が異なる複数の上記アクセスポイントを備える。通信制御手段は、無線端末とアクセスポイントとの無線通信を可能にすると、選択基準に基づいて通信方式毎に無線通信回線を選択する。表示制御手段は、通信制御手段によって選択された無線通信回線に接続するための案内を表示装置に表示させる。
【０００７】
この発明に係るエレベータ装置は、エレベータのかごに人が閉じ込められたことを検出する閉じ込め検出手段と、かごに設けられた表示装置と、かごに設けられたインターホンと、かごに設けられた入力装置と、無線端末と無線通信を行うためのアクセスポイントと、かごに人が閉じ込められたことが閉じ込め検出手段によって検出されると、インターホンを通じて外部との連絡を行うか無線端末を通じて外部との連絡を行うかを入力装置から入力させるための案内を表示装置に表示させる表示制御手段と、無線端末を通じて外部との連絡を行う旨が入力装置から入力されると、無線端末とアクセスポイントとの無線通信を可能にする通信制御手段と、を備える。
この発明に係るエレベータ装置は、エレベータのかごに人が閉じ込められたことを検出する閉じ込め検出手段と、無線端末と無線通信を行うためのアクセスポイントと、かごに人が閉じ込められたことが閉じ込め検出手段によって検出されなければ無線端末とアクセスポイントとの無線通信を不可とし、かごに人が閉じ込められたことが閉じ込め検出手段によって検出されると無線端末とアクセスポイントとの無線通信を可能にする通信制御手段と、かごに設けられた表示装置と、かごに人が閉じ込められたことが閉じ込め検出手段によって検出されると、無線端末をアクセスポイントに無線接続させるための案内を表示装置に表示させる表示制御手段と、を備える。また、複数の上記アクセスポイントを備える。かごは、制御ケーブルによって制御装置に接続される。アクセスポイントの少なくとも一つは、かごに設けられ、制御ケーブルを介して制御装置に接続される。アクセスポイントの少なくとも一つは、制御ケーブルを介さずに制御装置に接続される。
この発明に係るエレベータ装置は、エレベータのかごに人が閉じ込められたことを検出する閉じ込め検出手段と、無線端末と無線通信を行うためのアクセスポイントと、かごに人が閉じ込められたことが閉じ込め検出手段によって検出されなければ無線端末とアクセスポイントとの無線通信を不可とし、かごに人が閉じ込められたことが閉じ込め検出手段によって検出されると無線端末とアクセスポイントとの無線通信を可能にする通信制御手段と、かごに設けられた表示装置と、かごに人が閉じ込められたことが閉じ込め検出手段によって検出されると、無線端末をアクセスポイントに無線接続させるための案内を表示装置に表示させる表示制御手段と、を備える。また、複数の上記アクセスポイントを備える。アクセスポイントの少なくとも一つは、第１通信方式で無線端末に無線接続される。アクセスポイントの少なくとも一つは、第１通信方式とは異なる第２通信方式で無線端末に無線接続される。
【発明の効果】
【０００８】
この発明に係るエレベータ装置であれば、利用者、特に聴覚障がい者は、かごに閉じ込められた場合に自分の無線端末を利用して簡単に外部と双方向通信を行うことができる。
【図面の簡単な説明】
【０００９】
【図１】この発明の実施の形態１におけるエレベータ装置の例を示す図である。
【図２】この発明の実施の形態１におけるエレベータ装置の構成例を示す図である。
【図３】この発明の実施の形態１におけるエレベータ装置の動作例を示すフローチャートである。
【図４】この発明の実施の形態１におけるエレベータ装置の他の動作例を示すフローチャートである。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１におけるエレベータ装置の例を示す図である。図２は、この発明の実施の形態１におけるエレベータ装置の構成例を示す図である。エレベータ装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１２】
主ロープ４は、巻上機の駆動綱車５に巻き掛けられる。駆動綱車５の回転及び停止は、制御装置６によって制御される。図１は、制御装置６が機械室７に設置される例を示す。制御装置６は、昇降路３に設置されても良い。制御装置６とかご１との間に制御ケーブル８が接続される。
【００１３】
かご１に、利用者等が操作するための操作盤９が設けられる。操作盤９は、例えば表示装置１０、インターホン１１及び入力装置１２を備える。表示装置１０は、かご１内の利用者に対し、文字及び画像等を用いて情報を表示する。インターホン１１は、かご１内の利用者が外部の人と話をするための装置である。インターホン１１は、例えば呼び出し釦１１ａ、マイク及びスピーカを備える。かご１内の利用者は、呼び出し釦１１ａを押すことにより、例えば遠隔の監視センタの監視員と話をすることができる。入力装置１２は、かご１内の利用者が情報を入力するための装置である。図１は、入力装置１２が階床釦、戸開釦及び戸閉釦を備える例を示す。入力装置１２は、テンキー又は専用の入力釦等を備えても良い。
【００１４】
上述したように、制御装置６は巻上機を制御する。また、制御装置６は、かご１に設けられた機器を制御する。制御装置６とかご１に設けられた機器との信号の送受信は、制御ケーブル８を介して行われる。例えば、制御装置６は表示制御部１３を備える。表示制御部１３は、表示装置１０を制御する。表示制御部１３は、必要に応じて表示装置１０の表示内容を切り替える。また、入力装置１２から入力された情報は、制御装置６に入力される。
【００１５】
制御装置６は、閉じ込め検出部１４を備える。閉じ込め検出部１４は、かご１に人が閉じ込められたことを検出する。閉じ込め検出部１４が閉じ込めを検出する条件は、どのような条件であっても良い。例えば、閉じ込め検出部１４は、かご１が階間に停止し且つかご呼びが登録されている場合に、かご１に人が閉じ込められたことを検出する。閉じ込め検出部１４は、かご１が階間に停止し且つかご１の秤装置（図示せず）によって基準値以上の荷重が検出されている場合に、かご１に人が閉じ込められたことを検出しても良い。閉じ込め検出部１４は、インターホン１１の呼び出し釦１１ａが押された場合に、かご１に人が閉じ込められたことを検出しても良い。
【００１６】
制御装置６は、通信制御部１５を備える。例えば、エレベータ装置にアクセスポイントが備えられる。図１は、エレベータ装置が４つのアクセスポイント１６ａ〜１６ｄを備える例を示す。アクセスポイント１６ａ〜１６ｄは、かご１内にある無線端末１７と無線通信を行うために設置される。この無線端末１７は、利用者が所有するものである。例えば、無線端末１７は、利用者が所有するスマートフォンである。無線端末１７は、利用者が所有する他の携帯端末でも良い。かご１に、専用の無線端末を備える必要はない。
【００１７】
例えば、アクセスポイント１６ａは、かご１に設けられる。図１に示す例では、アクセスポイント１６ａはかご１の上に配置される。アクセスポイント１６ａをかご１の内部に配置しても良い。アクセスポイント１６ａは、制御ケーブル８を介して制御装置６に接続される。アクセスポイント１６ｂは、かご１が停止する乗場１８に設けられる。図１に示す例では、アクセスポイント１６ｂはロビー階の乗場１８に配置される。アクセスポイント１６ｂをかご１が停止する複数の乗場１８に配置しても良い。アクセスポイント１６ｂをかご１が停止する全ての乗場１８に配置しても良い。かご１に設けられていないアクセスポイント１６ｂは、制御ケーブル８を介さずに制御装置６に有線で接続される。後述のアクセスポイント１６ｃ及び１６ｄも同様である。
【００１８】
アクセスポイント１６ｃは、昇降路３に配置される。アクセスポイント１６ｃは、例えば昇降路３の固定体に設けられる。図１に示す例では、アクセスポイント１６ｃは昇降路３の頂部に配置される。アクセスポイント１６ｃを昇降路３のピットに配置しても良い。アクセスポイント１６ｄは、機械室７に配置される。図１に示す例では、アクセスポイント１６ｄは制御装置６に有線で接続される。アクセスポイント１６ｄを制御装置６に内蔵しても良い。通信制御部１５は、アクセスポイント１６ａ〜１６ｄを制御する。例えば、通信制御部１５は、アクセスポイント１６ａ〜１６ｄのオン及びオフを制御する。
【００１９】
図１は、複数の場所にアクセスポイントを設置する例を示す。アクセスポイントの数及び設置場所は図１に示す例に限定されない。例えば、同じビル内の管理センタにアクセスポイントを設置しても良い。
【００２０】
アクセスポイント１６ａ〜１６ｄが無線端末１７と無線通信を行う際の通信方式は、どのような通信方式であっても良い。例えば、アクセスポイント１６ａ〜１６ｄの全てが同じ通信方式で無線端末１７と無線通信を行っても良い。アクセスポイント１６ａ〜１６ｄの全てが異なる通信方式で無線端末１７と無線通信を行っても良い。アクセスポイント１６ａ〜１６ｄの一部のみが同じ通信方式で無線端末１７と無線通信を行っても良い。例えば、上記通信方式としてＢｌｕｅｔｏｏｔｈ（登録商標）を採用しても良い。また、通信方式としてＷｉ−Ｆｉ（登録商標）を採用しても良い。通信方式として他の無線ＬＡＮを採用しても良い。
【００２１】
同じ場所に、通信方式が異なる複数のアクセスポイントを設置しても良い。例えば、第１通信方式で無線端末１７に無線接続されるアクセスポイントと、第２通信方式で無線端末１７に無線接続されるアクセスポイントとをかご１の上に設置しても良い。第２通信方式は、第１通信方式とは異なる通信方式である。更に、第３通信方式で無線端末１７に無線接続されるアクセスポイントと、第４通信方式で無線端末１７に無線接続されるアクセスポイントとを昇降路３に設置しても良い。第３通信方式は、第１通信方式及び第２通信方式とは異なる通信方式である。第４通信方式は、第１通信方式、第２通信方式及び第３通信方式とは異なる通信方式である。
【００２２】
次に、図３も参照し、本エレベータ装置の動作について説明する。図３は、この発明の実施の形態１におけるエレベータ装置の動作例を示すフローチャートである。
【００２３】
通常運転が行われている間、通信制御部１５は、アクセスポイント１６ａ〜１６ｄをオフにする（Ｓ１０１）。通常運転は、発生した呼びにかご１を順次応答させる運転である。通常運転が行われている間、利用者は自分の無線端末１７をアクセスポイント１６ａ〜１６ｄに無線接続することはできない。
【００２４】
通常運転が行われている間、閉じ込め検出部１４は、かご１に人が閉じ込められたか否かを判定する（Ｓ１０２）。例えばかご１が階間に停止し、かご１の中にいる利用者が呼び出し釦１１ａを押すと、かご１に人が閉じ込められたことが閉じ込め検出部１４によって検出される。Ｓ１０２で閉じ込めが検出されると、通信制御部１５は、アクセスポイント１６ａ〜１６ｄをオンにする（Ｓ１０３）。即ち、通信制御部１５は、かご１内にある無線端末１７とアクセスポイント１６ａ〜１６ｄとの無線通信を可能にする。なお、Ｓ１０１に示されているように、通信制御部１５は、かご１に人が閉じ込められたことが閉じ込め検出部１４によって検出されなければ、無線端末１７とアクセスポイント１６ａ〜１６ｄとの無線通信を不可とする。通信制御部１５は、アクセスポイント１６ａ〜１６ｄをオンにすると、無線通信回線が確立されたか否かを判定する（Ｓ１０４）。
【００２５】
Ｓ１０４において無線通信回線を検出することができなければ、表示制御部１３は、かご１内の人に外部に連絡することを促すための案内を表示装置１０に表示させる。例えば、表示制御部１３は、監視センタ等に通じる電話番号を表示装置１０に表示させる（Ｓ１０５）。表示制御部１３は、監視センタ等に通じるメールアドレスを表示装置１０に表示させても良い。
【００２６】
通信制御部１５によって無線通信回線が検出されると、表示制御部１３は、無線端末１７をアクセスポイント１６ａ〜１６ｄに無線接続させるための案内を表示装置１０に表示させる（Ｓ１０６）。例えば、表示制御部１３は、通信制御部１５が検出した無線通信回線の接続名を表示装置１０に表示して、利用者に無線接続を促す。表示制御部１３は、通信制御部１５が検出した無線通信回線の一部の接続名を表示装置１０に表示して、利用者に無線接続を促しても良い。例えば、通信制御部１５は、Ｓ１０４で無線通信回線を検出すると、予め設定された選択基準に基づいて、検出した無線通信回線の中から１つ或いは複数の無線通信回線を選択する。通信制御部１５は、例えば、一定の電波強度を有する無線通信回線を選択する。表示制御部１３は、通信制御部１５が選択した無線通信回線の接続名を表示装置１０に表示する。
【００２７】
他の例として、通信方式が異なる複数のアクセスポイントが備えられている場合を考える。例えば、第１通信方式の複数のアクセスポイントと、第２通信方式の複数のアクセスポイントと、第３通信方式の複数のアクセスポイントとが備えられている場合を考える。かかる場合、通信制御部１５は、Ｓ１０４で無線通信回線を検出すると、予め設定された選択基準に基づいて、検出した無線通信回線の中から通信方式毎に１つ或いは複数の無線通信回線を選択する。例えば、通信制御部１５は、同じ通信方式の中で電波強度が最も高いものを選択する。
【００２８】
通信制御部１５は、同じ通信方式の中でアクセスポイントの優先順位が最も高いものを選択しても良い。通信制御部１５は、一定の電波強度を有するものの中から、アクセスポイントの優先順位が最も高いものを通信方式毎に選択しても良い。かかる場合、例えば、アクセスポイントに対し、設置場所に基づいて予め優先順位が設定される。例えば、優先順位は以下のように設定される。
優先順位１：かご１に設置されたアクセスポイントを利用した無線通信回路
優先順位２：昇降路３に設置されたアクセスポイントを利用した無線通信回路
優先順位３：制御装置６に設置されたアクセスポイントを利用した無線通信回路
優先順位４：ビルの管理者が保有するアクセスポイントを利用した無線通信回路
優先順位５：その他一般のアクセスフリーな無線通信回路
【００２９】
表示制御部１３は、通信制御部１５が選択した無線通信回線に接続するための案内を表示装置１０に表示させる。例えば、表示制御部１３は、通信制御部１５が選択した無線通信回線の接続名を表示装置１０に表示して、利用者に無線接続を促す。表示制御部１３は、例えば、表示装置１０に「第１通信方式での接続をご希望の場合は「ＥＶ−Ｂ」を、第２通信方式での接続をご希望の場合は「ＥＶ−Ｗ」を、第３通信方式での接続をご希望の場合は「ＥＶ−Ｌ」をお手持ちの無線端末で接続設定して下さい」と表示させる。無線端末１７が何れかのアクセスポイントに無線接続されると、無線端末１７と外部の監視センタ等との間の通信が文字及び画像データで開始される（Ｓ１０７）。
【００３０】
通信制御部１５は、無線端末１７と外部の監視センタ等との間で通信が開始されると、通信中に回線が切断されたか否かを判定する（Ｓ１０８及びＳ１０９）。通信中に回線が切断されると、通信制御部１５は、Ｓ１０４の処理に戻り、無線通信回線が確立されたか否かの判定を再度行う。
【００３１】
上記構成を有するエレベータ装置であれば、利用者、特に聴覚障がい者がかご１に閉じ込められた場合であっても、その人は自分の無線端末を利用して簡単に外部と双方向通信を行うことができる。本エレベータ装置では、アクセスポイントが通信制御部１５によって制御される。通信制御部１５は、かご１に人が閉じ込められたことが閉じ込め検出部１４によって検出されなければ、無線端末１７とアクセスポイントとの無線通信を不可とする。また、通信制御部１５は、かご１に人が閉じ込められたことが閉じ込め検出部１４によって検出されると、無線端末１７とアクセスポイントとの無線通信を可能にする。このため、一定のセキュリティ性を確保した上で、閉じ込め発生時には専用の無線端末を用いることなく利用者の無線端末１７で外部との双方向通信を可能にできる。
【００３２】
また、本エレベータ装置では、かご１に人が閉じ込められたことが閉じ込め検出部１４によって検出されると、無線端末１７をアクセスポイントに無線接続させるための案内が表示装置１０に表示される。このため、かご１に閉じ込められた人が聴覚障がい者であっても、その人は表示装置１０に表示された案内を見て、無線端末１７をアクセスポイントに簡単に無線接続させることができる。
【００３３】
図４は、この発明の実施の形態１におけるエレベータ装置の他の動作例を示すフローチャートである。図４のＳ２０１及びＳ２０２に示す処理は、図３のＳ１０１及びＳ１０２に示す処理と同様である。
【００３４】
Ｓ２０２においてかご１に人が閉じ込められたことが閉じ込め検出部１４によって検出されると、表示制御部１３は、外部への連絡方法の選択肢を表示装置１０に表示させる（Ｓ２０３）。例えば、表示制御部１３は、インターホン１１を通じて外部との連絡を行うか自分の無線端末１７を通じて外部との連絡を行うかを入力装置１２から入力させるための案内を表示装置１０に表示させる。表示装置１０の表示を見た利用者は、入力装置１２を操作することによって選択肢の一つを選ぶ（Ｓ２０４）。
【００３５】
制御装置６では、インターホン１１を通じて外部との連絡を行う旨が入力装置１２から入力されると、インターホン１１による音声通信を開始する（Ｓ２０５）。また、制御装置６では、Ｓ２０３で表示装置１０への表示を行ってから一定時間が経過しても入力装置１２からの入力が行われなければ、インターホン１１による音声通信を開始する（Ｓ２０５）。
【００３６】
一方、無線端末１７を通じて外部との連絡を行う旨が入力装置１２から入力されると、通信制御部１５は、アクセスポイント１６ａ〜１６ｄをオンにする（Ｓ２０６）。即ち、通信制御部１５は、かご１内にある無線端末１７とアクセスポイント１６ａ〜１６ｄとの無線通信を可能にする。なお、通信制御部１５は、Ｓ２０１に示されているように、かご１に人が閉じ込められたことが閉じ込め検出部１４によって検出されなければ、無線端末１７とアクセスポイント１６ａ〜１６ｄとの無線通信を不可とする。また、通信制御部１５は、Ｓ２０２で閉じ込めが検出されても、無線端末１７を通じて外部との連絡を行う旨が入力装置１２から入力されなければ、無線端末１７とアクセスポイント１６ａ〜１６ｄとの無線通信を不可のままとする。通信制御部１５は、アクセスポイント１６ａ〜１６ｄをオンにすると、無線通信回線が確立されたか否かを判定する（Ｓ２０７）。
【００３７】
図４のＳ２０６からＳ２１２に示す処理は、図３のＳ１０３からＳ１０９に示す処理と同様である。このため、詳細な説明は省略する。
【００３８】
図４に示す動作例を採用しても、上記と同様の効果が期待できる。なお、図４に示す動作例では、Ｓ２０６でアクセスポイントがオンになる場合は、無線端末１７を通じて外部と連絡することを利用者が既に理解している。このため、Ｓ２０９において無線接続を促すための案内を表示装置１０に表示させる処理は必須ではない。但し、Ｓ２０９に示す処理を行うことにより、利用者はよりスムーズに無線端末１７の接続設定を行うことができる。
【００３９】
符号１３〜１５に示す各部は、制御装置６が有する機能を示す。制御装置６は、ハードウェア資源として、例えば入出力インターフェースとプロセッサとメモリとを含む処理回路を備える。制御装置６は、メモリに記憶されたプログラムをプロセッサによって実行することにより、符号１３〜１５に示す機能を実現する。符号１３〜１５に示す機能の一部又は全部をハードウェアによって実現しても良い。
【符号の説明】
【００４０】
１  かご
２  つり合いおもり
３  昇降路
４  主ロープ
５  駆動綱車
６  制御装置
７  機械室
８  制御ケーブル
９  操作盤
１０  表示装置
１１  インターホン
１１ａ  呼び出し釦
１２  入力装置
１３  表示制御部
１４  閉じ込め検出部
１５  通信制御部
１６ａ〜１６ｄ  アクセスポイント
１７  無線端末
１８  乗場
【図１】
0006555173.tif 000002
【図２】
0006555173.tif 000003
【図３】
0006555173.tif 000004
【図４】
0006555173.tif 000005